(57)【要約】      （修正有）【課題】ＯＬＥＤや液晶のバックライトが搭載された表示機能付きの交換レンズにおいて，カメラ本体や交換レンズの状態によってＯＬＥＤや液晶のバックライトなどの適切な輝度・光量が異なる。また，必要以上の輝度・光量で使用すると電力を浪費してしまう。【解決手段】カメラ本体２００と，前記カメラ本体に着脱可能な交換レンズ１００とから成る光学機器において，前記交換レンズは，電子的に情報を表示する表示手段１１９と前記表示手段の輝度や光量を制御する制御手段１２０を有し，前記表示手段は前記交換レンズと前記カメラ本体の状態や設定に応じた前記表示制御を行うこと。【選択図】図１
2019191437.tif 000002
【特許請求の範囲】
【請求項１】
カメラ本体と，前記カメラ本体に着脱可能な交換レンズとから成る光学機器において，前記交換レンズは，電子的に情報を表示する表示手段と前記表示手段の輝度・光量を制御する表示制御手段を有し，前記表示手段は前記交換レンズの状態に応じた前記表示制御を行うことを特徴とする光学機器。
【請求項２】
カメラ本体と，前記カメラ本体に着脱可能な交換レンズとから成る光学機器において，前記交換レンズは，電子的に情報を表示する手段と前記表示手段の輝度・光量を制御する表示制御手段を有し，前記カメラ本体の状態に応じた前記表示制御を行うことを特徴とする光学機器。
【発明の詳細な説明】
【技術分野】
【０００１】
本発明は，交換レンズが着脱可能なカメラシステムなどの光学機器において，特に電子的に情報を表示する表示部材を有する交換レンズに関するものである。
【背景技術】
【０００２】
交換レンズが着脱可能なカメラシステムなどの光学機器において，被写体距離や焦点距離，絞り値，被写体深度等の情報を電子的に表示するLCDやOLED(有機EL)などの表示素子を備えたものがある。OLEDのような自発光表示素子は，輝度大きくすることにより視認性を向上させることができる。また，LCDのような表示素子は自発光ではないが，LCDの背面にバックライトを点灯させることで視認性を向上させることができる。ただし，視認性を向上させることで消費電力が増えてしまうという弊害がある。
【０００３】
例えば，特許文献１では次のような技術内容が開示されている。カメラ本体の撮影モードを交換レンズに通知し，通知された内容や条件等により該表示素子の表示する時間を変更することで，省エネを図っているものが開示されている。
【先行技術文献】
【特許文献】
【０００４】
【特許文献１】特願２０１５−７６８３０号
【発明の概要】
【発明が解決しようとする課題】
【０００５】
しかしながら，特願２０１５−７６８３０では，ＯＬＥＤやＬＣＤのバックライトのような輝度や明るさを変更できる表示素子を想定しておらず，状況により視認性を変更することができない。
【０００６】
そこで本発明の目的は，ユーザが必要な時にだけ視認性を向上させ，必要でない場合は省エネを図ることを可能とした交換レンズを提供することである。
【課題を解決するための手段】
【０００７】
上記目的を達成するために，本発明は，カメラ本体と，前記カメラ本体に着脱可能な交換レンズとから成る光学機器において，前記交換レンズは，電子的に情報を表示する表示手段と前記表示手段の輝度や光量を制御する制御手段を有し，前記表示手段は前記交換レンズに設定された撮影モードや前記カメラ本体の状態や設定に応じた前記表示制御を行うことを特徴としている。
【発明の効果】
【０００８】
本発明によれば，交換レンズの電子的に情報を表示する表示素子の視認性をユーザが必要な場合に向上させ，必要でない場合は省エネを図ることが可能となる。
【図面の簡単な説明】
【０００９】
【図１】本発明の実施形態の構成図
【図２】交換レンズの撮影モードにより表示素子の輝度・光量を変更するフローチャート
【図３】カメラ本体の状態・設定により表示素子の輝度・光量を変更するフローチャート
【発明を実施するための形態】
【００１０】
［実施例１］
図１は，本発明の実施形態にかかわるカメラ本体２００と，前記カメラ本体２００に着脱可能な交換レンズ１００とから成る撮像装置のブロック図である。交換レンズ１００はカメラ本体２００にマウント３００を介して電気的及び機械的に着脱可能に接続される。
【００１１】
交換レンズ１００は撮影光学系を有する。撮影光学系は，複数の光学レンズユニットにより構成され，物体（被写体）の光学像を形成する。本実施例の撮影光学系は，被写体像の入射方向から順に，フィールドレンズ１０１，変倍レンズとしてズームレンズ１０２，光量を調整する絞りユニット１０５，アフォーカルレンズ１０３，合焦レンズとしてフォーカスレンズ１０４を有する。このようにフォーカスレンズ１０４が被写体側から見て後方に配置されるレンズ構成はリアフォーカスレンズと呼び，小型のレンズ交換式カメラなどで一般的に用いられている。
【００１２】
光軸方向に移動して焦点距離を変更するズームレンズ１０２と光軸方向に移動して焦点を調整するフォーカスレンズ１０４はそれぞれレンズ保持枠１０６，１０７により保持されている。レンズ保持枠１０６，１０７はガイド軸により光軸方向に移動可能となるよう構成されており，ズームレンズ１０２とフォーカスレンズ１０４はアクチュエータ１１０と１１１により光軸方向に移動される。
【００１３】
レンズ制御部１２０は，レンズマイコン１２１と電源部１２２，通信部１２３により構成され，後述するカメラ本体２００から送信される命令に対応した各種制御を行う。レンズマイコン１２１は，カメラマイコン２１１から通信部２１３，１２３を介して与えられる制御信号に応じて撮影光学系の駆動を制御する。また，交換レンズ１００の鏡筒に設けられたフォーカスリング１０８などの操作指示手段からの入力に応じた制御を行い，交換レンズ１００の動作全体の制御を司る。フォーカスリング１０８の回転量は検出部１１８のフォトインタラプ等によって検出される。
【００１４】
アクチュエータ１１０は機械的な溝に沿ってズームレンズ１０２が移動するカム機構であり，撮像光学系のズーム変倍動作を行う。位置検出回路１１３は不図示の交換レンズ１００の鏡筒に設けられたズームリングの回転によるズームレンズ１０２の光軸方向への移動量・位置を検出し，レンズマイコン１２１に情報を与える。
【００１５】
アクチュエータ１１１は駆動回路１１４により駆動される。駆動回路１１４はレンズマイコン１２１から入力される駆動信号に応じてアクチュエータ１１１を駆動する。すなわち撮像光学系のズーム変倍動作に伴うフォーカス合焦動作は，デジタルカメラなどで一般的に用いられているカム軌跡データを利用した電子カム方式により，アクチュエータ１１１を制御することで行われる。
【００１６】
光量を調整する絞りユニット１０５は絞り羽根１０５ａ，１０５ｂを有する。絞り羽根１０５ａ，１０５ｂの状態はフォトインタラプタ１１６により検出される。レンズマイコン１２１はその入力信号に基づいて駆動回路１１５により制御信号を出力する。駆動回路１１５はその制御信号に基づいて絞りアクチュエータ１１２を駆動する。
【００１７】
カメラ本体２００は，撮影光学系が形成した光学像を光電変換するＣＣＤセンサやＣＭＯＳセンサなどの撮像素子２０１やＡ／Ｄ変換回路２０２，信号処理回路２０３，記録媒体２０４，メモリ２０５，表示部２０６，操作入力部２０７，輝度・光量制御部２０８，カメラ制御部２１０，カメラマイコン２１１，電源部２１２，通信部２１３を有する。
【００１８】
交換レンズ１００を通過した光学像は，撮像素子２０１における光電変換により電気信号（アナログ信号）に変換される。そのアナログ信号は，Ａ／Ｄ変換回路２０２によりデジタル信号に変換され，信号処理回路２０３に入力される。信号処理回路２０３は，入力された電子信号（デジタル信号）に対して各種の画像処理を施すことにより，画像の合焦状態を表すフォーカス情報の生成や，露出状態を表す輝度信号情報の生成，記録可能なデータ形式への変換が行われる。
【００１９】
その後，信号処理回路２０３からの出力信号（映像信号）が記録媒体２０４に送られ，その映像信号が記録媒体２０４に記録される。また並行して，信号処理回路２０３で生成された被写体像は表示部２０６に表示され，撮影している被写体像の構図や合焦状態などを確認する事ができる。表示部２０６の明るさはカメラマイコン２１１により輝度・光量制御部２０８を制御する事で変更することが可能であり，操作入力部２０７をユーザが操作する事で任意の変更が可能である。表示部２０６は撮影者によって操作されるメニュー画面を更に表示する。
【００２０】
カメラマイコン２１１は，撮影指示スイッチ，メニュー画面，カメラ設定関連スイッチといった操作入力部２０７からの入力に応じたカメラ本体の制御・設定を行う。また，カメラマイコン２１１は絞りユニット１０５，フォーカスレンズ１０４の駆動命令や，フォーカスリング１３０の制御設定，交換レンズ１００への動作要求，設定をレンズマイコン１２１に指示する。
【００２１】
交換レンズ１００とカメラ本体２００はマウント３００で機械的及び電気的に接続されている。マウント３００の端子部を経由して両者は通信を可能にしている。レンズマイコン１２１とカメラマイコン２１１は端子部３０５，３０６，３０７を介し，制御基準信号に同期して通信する。また，交換レンズ１００はカメラ本体２００から端子部３０１，３０２，３０３，３０４を介して電源を習得し，各種アクチュエータ１１０，１１１，１１２の駆動電源，レンズマイコン１２１の処理用電源等として消費している。
【００２２】
以下，本発明について説明する。前記説明に加えて，交換レンズ１００は表示素子１１９を有する。表示素子１１９は，ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）素子等の情報を電子的に表示するものであり，交換レンズ１００のレンズ鏡筒部の外周面のうちユーザが視認可能な位置に配置される。レンズマイコン１２１は，不図示の表示ドライバを介して表示素子を制御し，上述した焦点距離等のユーザが写真撮影に必要な情報を表示させることができる。また，ＯＬＥＤのような自発光表示素子やＬＣＤの視認性を向上させる不図示のバックライトの輝度や明るさを制御する輝度・光量制御部１２０を有し，レンズマイコン１２１により制御される。
【００２３】
レンズ鏡筒部の外周面には，ＡＦモードとＭＦモードを切り替える為のスイッチであるモード設定部１０９が配置される。図２は，交換レンズ１００の撮影モードにより，表示素子１１９または不図示のバックライトの輝度・光量を変更するフローチャートである。Ｓ１０１において交換レンズ１００は，カメラ本体２００に装着されるとマウント３００を介してカメラ本体２００から電源供給が開始される。Ｓ１０２では，交換レンズ１００の表示素子１１９が表示を開始したかどうかを判定し，表示を開始していた場合はＳ１０３に進む。
【００２４】
Ｓ１０３でモード設定部１０９により設定された交換レンズ１００の撮影モードを判定し，ＡＦモードであった場合はＳ１０４に進む。Ｓ１０４では，レンズマイコン１２１は輝度・光量制御部１２０を制御し，表示素子１１９の輝度・光量をＸに設定する。Ｓ１０３で交換レンズ１００の撮影モードがＡＦモードではない場合，Ｓ１０６に進む。Ｓ１０５では，レンズマイコン１２１は輝度・光量制御部１２０を制御し，表示素子１１９の輝度・光量をＹに設定する。また，Ｓ１０２で表示素子１１９が表示を開始していない場合，Ｓ１０６に進む。
【００２５】
Ｓ１０６では，モード設定部１０９により設定された交換レンズ１００の撮影モードを判定し，ＡＦモードであった場合はＳ１０７に進む。Ｓ１０７では，レンズマイコン１２１は表示素子１１９の表示を開始し，輝度・光量制御部１２０を制御することで表示素子１１９の輝度・光量をＸに設定する。Ｓ１０６において交換レンズ１００の撮影モードがＡＦモードではない場合，Ｓ１０８に進む。Ｓ１０８では，レンズマイコン１２１は表示素子１１９の表示を開始し，輝度・光量制御部１２０を制御することで表示素子１１９の輝度・光量をＹに設定する。
【００２６】
なお，輝度・光量の関係はＸ＜Ｙである。すなわち，交換レンズ１００がＡＦモードであった場合は，ＭＦモードよりも表示素子１１９の輝度・光量を小さくする。
【００２７】
本発明では，交換レンズ１００の撮影モードにより表示素子１１９の輝度・光量を変更することでユーザが必要な際に表示素子１１９の視認性を向上させ，必要でない場合は省エネを実現することを可能としている。なお本実施形態において、表示素子１１９の輝度・光量の関係はＸ＜Ｙとしているが，これに限定されるものではない。更にＸやＹの輝度・光量は０，すなわち表示させなくてもよい。また，撮影モードをＡＦモード・ＭＦモードとしているが，これに限定されるものではなく，別の撮影モードを設けてもよい。
【００２８】
［実施例２］
本実施例のカメラ本体２００と交換レンズ１００の構成は実施例１と同じであり，図１で用いた符号を説明に用いる。図３は，カメラ本体２００の状態や設定により，表示素子１１９または不図示のバックライトの輝度・光量を変更するフローチャートである。
【００２９】
Ｓ２０１において交換レンズ１００は，カメラ本体２００に装着されマウント３００を介してカメラ本体２００から電源供給が開始される。Ｓ２０２では，交換レンズ１００とカメラ本体２００の通信を開始する。Ｓ２０３では，カメラ本体１００はユーザがファインダーを覗いているか否かを不図示のフォトセンサにより判定し，ファインダーを覗いていると判定した場合は，Ｓ２０４に進み，カメラ本体２００の状態を交換レンズ１００に送信する。
【００３０】
Ｓ２０５では，レンズマイコン１２１は送付されたカメラ本体２００の状態情報を基に，輝度・光量制御部１２０を制御することで表示素子１１９の輝度・光量をＡに設定し，表示素子１１９の表示を開始する。Ｓ２０３において，カメラ本体１００がユーザがファインダーを覗いていないと判定した場合，Ｓ２０６に進む。Ｓ２０６では，予めユーザにより設定されたカメラ本体２００の表示部２０６の輝度・光量の情報を交換レンズ１００に送付する。Ｓ２０７では，交換レンズ１００はカメラ本体から送付されたデータを基に輝度・光量制御部１２０を制御することで表示素子１１９の輝度・光量をＢに設定し，表示素子１１０の表示を開始する。
【００３１】
なお，輝度・光量の関係はＡ＜Ｂである。すなわち，カメラ本体２００のファインダーが覗かれていた場合は，表示素子１１９の輝度・光量を小さく（または０）することで消費電流を小さくし，ファインダーが覗かれていない場合は，輝度・光量を大きくし，視認性を向上させる。
【００３２】
本発明では，カメラ本体２００の状態・設定により表示素子１１９の輝度・光量を変更することでユーザが必要な際に表示素子１１９の視認性を向上させ，必要でない場合は省エネを実現することを可能としている。なお本実施形態において、表示素子１１９の輝度・光量の関係はＡ＜Ｂとしているが，これに限定されるものではない。更にＡやＢの輝度・光量は０，すなわち表示させなくてもよい。また，本実施形態ではファインダーが覗かれているか否かで輝度・光量を変更しているが，カメラ本体１００の状態によるものであればどのような形態であってもよい。
【００３３】
以上、本発明の好ましい実施形態について説明したが、本発明はこれらの実施形態に限定されず、その要旨の範囲内で種々の変形及び変更が可能である。
【符号の説明】
【００３４】
１００：交換レンズ
１１９：交換レンズ１００における表示素子
１２０：交換レンズ１００における表輝度・光量制御部
２００：カメラ本体
３００：マウント
【図１】
2019191437.tif 000003
【図２】
2019191437.tif 000004
【図３】
2019191437.tif 000005